(57)【要約】【課題】足底部分の吸湿性が高く、かつ、靴を履いたときに滑りが発生することを防止するパンティストッキングを提供する。【解決手段】このパンティストッキング１は、腹部および臀部を被覆するパンティ部３と、脚部を被覆するレッグ部２と、足部を被覆するフット部５とを備え、フット部５の足裏当接側の足指元近傍から土踏まず前端近傍に吸湿部６が編成されてい。この吸湿部６は、添え糸編みされた吸湿領域６０と、一定の間隔で添え糸編みされていない透湿領域６２とを備え、吸湿領域６０は足裏からの発汗を吸収し不快感を解消し、透湿領域６２は足裏からの発汗を靴内底へ浸透させ滑りを防止する。【選択図】図１
2015048551.tif 000002
【特許請求の範囲】
【請求項１】
少なくともフット部を備え、合成繊維から編成された伸縮性編地により形成された下半身用衣類であって、
前記フット部の足裏当接側の少なくとも一部に吸湿性の高い天然繊維を添え糸編みした吸湿部を備え、前記吸湿部の一部は添え糸編みされていないことを特徴とする下半身用衣類。
【請求項２】
前記吸湿部は、一定の間隔で添え糸編みされていない領域を備えることを特徴とする、請求項１に記載の下半身用衣類。
【請求項３】
前記フット部の足指元近傍から土踏まず前端近傍にかけて前記吸湿部を備えることを特徴とする、請求項１または請求項２に記載の下半身用衣類。
【発明の詳細な説明】
【技術分野】
【０００１】
本発明は、下半身用衣類である、フット部とレッグ部とを備えたストッキング、さらにパンティ部を備えたパンティストッキングまたはタイツ等に関し、特に、少なくともフット部を備えた下半身用衣類であって、足底部の吸湿性の高い下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うストッキングは、外出時における女性の脚部の保護さらには脚線美の向上の観点等から、広く世間に浸透している。
現在市販されているほとんどのストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。太さの異なる２種類の糸を使用するため横縞模様が表れる。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編組織が解編されたはしご状の線）が発生しにくいという特徴を備えたゾッキ編みのストッキングが、最近では増えてきている。
【０００４】
このようにストッキングは、ナイロン糸から編成された伸縮性編地またはナイロン糸とポリウレタン糸とから編成された伸縮性編地により形成される合成繊維素材であるために吸湿性が不十分で着用時に蒸れやすく汗ばみ易やすい。一方、人間はじっとしていても不感蒸泄により一日あたり８５０ｇの汗をかくと言われ、特に足の裏は、運動のみでなくストレスからも発汗が促進されることから、このようなストッキング着用時に発汗による不快感で悩んでいる人は多い。さらに、このようなストッキング着用時に、革靴、運動靴、長靴、ブーツ等の足がスッポリと入る履物は、中の空気と外の空気が入れ替わり難いことから、足の裏からの発汗による不快感は非常に高いものである。
【０００５】
このような問題点に関連して、足部の発汗を効果的に吸湿してむれによる不快感を解消することができるストッキングが提案されている。たとえば、実用新案登録第３０７２７１８号公報（特許文献１）は、合成繊維で編成したストッキングにおいて、少なくとも足の裏面を覆う前記ストッキングのソール部に、吸湿性に優れた天然繊維で構成された吸湿部を形成したことを特徴とするストッキングを開示する。特に、前記天然繊維として綿糸を用い、これを裏糸としてストッキングを編成する合成繊維と混紡させて前記吸湿部を形成したことを特徴とする。
【０００６】
このストッキングによると、ストッキングを装着した際、ストッキングに内面に裏綿加工により形成された吸湿部により、足裏部分の通気性、吸湿性が良好となるとともに、足の裏が天然繊維からなる吸湿部に触れることから肌触りも良好であるため、装着感も爽快となる。
【先行技術文献】
【特許文献】
【０００７】
【特許文献１】実用新案登録第３０７２７１８号公報
【発明の概要】
【発明が解決しようとする課題】
【０００８】
ところで、このようなストッキングは肌触りを向上させるために滑りがよくなるように構成されている。このため、ストッキングを着用した上で履物を履く場合には履物の内底（靴内底）とストッキングの表面との摩擦が低く、滑りが発生する可能性があり、このよ
うに滑ると歩き辛かったり、滑らないように歩こうとするため疲れやすかったりするという問題がある。上述のように不快感を伴う足の裏からの発汗も、発生した汗の水分が靴内底まで浸透すると、このような滑りを防止する作用がある。
【０００９】
しかしながら、特許文献１に開示されたストッキングは、足の裏面を覆うソール部に形成された、綿と合成繊維との混紡糸により編成された吸湿部により足の裏から発生した汗は吸収されてしまい不快感は解消されるとしても、靴内底へ汗の水分が浸透しないので滑りが発生して歩き辛かったり疲れやすかったりするという問題がある。その反面、吸湿部を備えないと、滑りが発生することを防止できても、上述したように足の裏からの発汗による非常に高い不快感が発生する。
【００１０】
本発明は、従来技術の上述の問題点に鑑みて開発されたものであり、その目的とするところは、足底部分の吸湿性が高く、かつ、靴を履いたときに滑りが発生することを防止することのできる下半身用衣類を提供することを目的とする。
【課題を解決するための手段】
【００１１】
上記目的を達成するため、本発明に係る下半身用衣類は以下の技術的手段を講じている。
すなわち、本発明に係る下半身用衣類は、少なくともフット部を備え、合成繊維から編成された伸縮性編地により形成された下半身用衣類であって、前記フット部の足裏当接側の少なくとも一部に吸湿性の高い天然繊維を添え糸編みした吸湿部を備え、前記吸湿部の一部は添え糸編みされていないことを特徴とする。
【００１２】
好ましくは、前記吸湿部は、一定の間隔で添え糸編みされていない領域を備えるように構成することができる。
さらに好ましくは、前記フット部の足指元近傍から土踏まず前端近傍にかけて前記吸湿部を備えるように構成することができる。
【発明の効果】
【００１３】
本発明の下半身用衣類によれば、足底部分の吸湿性が高く、かつ、靴を履いたときに滑りが発生することを防止することができる。
【図面の簡単な説明】
【００１４】
【図１】本発明の実施の形態に係るパンティストッキングの概略背面図である。
【図２】図１のパンティストッキングを着用した場合を想定した足裏側の平面図である。
【図３】図２のＡ部拡大図である。
【発明を実施するための形態】
【００１５】
以下、本発明の実施の形態に係るパンティストッキング１を、図面に基づき詳しく説明する。
図１に、本実施の形態に係るパンティストッキング１の概略背面図を示す。図１は背面図であるので、フット部５は足甲側ではなく足裏側が示されている。このパンティストッキング１は、通常のパンティストッキング等の下半身用衣類と同じく、腹部および臀部を被覆するパンティ部３と、脚部を被覆するレッグ部２と、足部を被覆するフット部５とを備えるものである。このパンティストッキング１は、筒状に編成された１対の編地を用い、パンティ部３に相当する部分に切れ目を入れて裁断縁どうしをつき合わせて股部４を縫着して一体化することにより製造される。また、フット部５の爪先部は周知の手段により、袋状に編成することにより製造される。
【００１６】
なお、本実施の形態に係る下半身用衣類をパンティストッキングとしているが、本発明は少なくともフット部を備えるストッキング、ショートストッキング、タイツ、靴下等の下半身用衣類を含むことは上述した通りである。
このパンティストッキング１は、ナイロン糸と、サポート糸（ポリウレタン糸にナイロン糸を巻き付けたカバリング糸）を交互に使用して編成した交編編みであっても、ポリウレタン弾性糸を芯糸としてナイロン糸を巻き付けたカバリング糸の１種類のみで編成したゾッキ編みであっても、合成繊維を編成したパンティストッキングであれば構わない。
【００１７】
なお、上述した以外にもパンティストッキングの構造には様々なものがあり、本発明は
特定の構造に限定されるものではなく、後述する特徴（フット部５の足裏当接側の少なくとも一部であって好ましくは足指元近傍から土踏まず前端近傍に編成された吸湿部６）を備えたものであれば、どのようなパンティストッキングの構造であっても、パンティストッキングを構成する生地の種類、生地の型紙およびその縫製がどのようなものであっても構わない。そのため、本実施の形態に係るパンティストッキング１において、特徴以外の構造自体は単なる例示でしかない。
【００１８】
このパンティストッキング１は、そのフット部５の足裏当接側の少なくとも一部であって好ましくは足指元近傍から土踏まず前端近傍に吸湿部６が編成されていることを特徴とする。図２に、このパンティストッキング１を着用した場合を想定した足裏側の平面図を、図３に、図２のＡ部拡大図を、それぞれ示す。
これらの図に示すように、この吸湿部６は、爪先側が広がった略等脚台形の形状を備えており、吸湿性の高い天然繊維（たとえば６０番手（８８．６ｄ（デニール）、９８．４ｄｔｅｘ（デシテックス））の綿糸）を添え糸編みして編成されている。さらに、特徴的であるのは、吸湿部６の全領域において綿糸が添え糸編みされているのではなく、吸湿部６の一部は添え糸編みされていない。
【００１９】
より具体的には、図２および図３に示すように、吸湿部６は、添え糸編みされた吸湿領域６０と、一定の間隔で添え糸編みされていない透湿領域６２とを備える。このような編成は、吸湿領域６０を編む場合に（吸湿領域６０を編む長さの分や吸湿領域６０を編む時間の分だけ）綿糸を添え糸として供給して、透湿領域６２を交編編みやゾッキ編みする場合に綿糸を添え糸として供給しない（すなわち単なる交編編みやゾッキ編み）ことを繰り返すことにより実現される。
【００２０】
ここで、吸湿領域６０の面積、透湿領域６２の面積および吸湿領域６０と透湿領域６２との比率（吸湿領域６０の幅に対する透湿領域６２の幅）については、吸湿領域６０により足の裏から発生した汗が吸収されて不快感は解消されるとともに、透湿領域６２により靴内底へ汗の水分が浸透して靴内底とパンティストッキングとの滑りを防止することができるように適宜設定される。
【００２１】
なお、添え糸編みは、パンティストッキング１のフット部５の足裏当接側の足指元近傍から土踏まず前端近傍に、吸湿領域６０および透湿領域６２を備えた吸湿部６を編成できる方法として好ましい編成方法である。また、図２および図３に示すように、吸湿領域６０および透湿領域６２により縞模様が形成されているが、本発明はこのような模様を必須とするものではない。編成方向と添え糸編みを用いて吸湿領域６０を変成することとにより、このような縞模様が形成されている。
【００２２】
さらに、図２に示すように、吸湿部６は、略等脚台形の形状で足指元近傍から土踏まず前端近傍に編成されているが、この形状にもこの位置にもこの大きさにも限定されるものではない。フット部５の足裏当接側の少なくとも一部に吸湿性の高い天然繊維を添え糸編みした吸湿部６を備え、この吸湿部６の一部は添え糸編みされていない特徴を備えていればどのようなパンティストッキングであっても構わない。ここで、図２に示す位置および大きさであると、吸湿領域６０により足の裏から発生した汗が吸収されて不快感は解消されるとともに、透湿領域６２により靴内底へ汗の水分が浸透して靴内底とパンティストッキングとの滑りを防止することができるので、好ましい。
【００２３】
このように編成された吸湿部６を備えたパンティストッキング１は、吸湿領域６０により足の裏から発生した汗が吸収されて不快感は解消されるとともに、透湿領域６２により靴内底へ汗の水分が浸透して靴内底とパンティストッキング１との滑りを防止することができる。すなわち、このパンティストッキング１によると、足の裏からの発汗による不快感の解消と足の裏からの発汗による靴内底とパンティストッキングとの滑りの防止という相反する２つの要求を満足することができる。
【００２４】
さらに、吸湿領域６０において添え糸編みされる綿糸は、このパンティストッキング１のフット部５を編成する合成繊維と同じ色（または同じような色）とした場合には、パンティストッキング１のフット部５に編成された吸湿部６が目立たない点で好ましい。
以上のようにして、本実施の形態に係るパンティストッキングによると、そのフット部
の足裏当接側の少なくとも一部であって好ましくは足指元近傍から土踏まず前端近傍に吸湿部が、綿糸を添え糸編みした吸湿領域および綿糸を添え糸編みしていない透湿領域で編成されている。このため、吸湿部の吸湿領域により足の裏から発生した汗が吸収されて不快感は解消されるとともに、吸湿部の透湿領域により靴内底へ汗の水分が浸透して靴内底とパンティストッキングとの滑りを防止することができる。その結果、足底部分の吸湿性が高く、かつ、靴を履いたときに滑りが発生することを防止することのできるパンティストッキングを提供することができる。
【００２５】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２６】
本発明は、足底部分の吸湿性が高く、かつ、靴を履いたときに滑りが発生することを防止できる下半身用衣類に好適であり、特に、フット部を備えたパンティストッキング等の下半身用衣類に特に好適である。
【符号の説明】
【００２７】
１    パンティストッキング
２    レッグ部
３    パンティ部
４    股部
５    フット部
６    吸湿部
６０  吸湿領域（添え糸あり領域）
６２  透湿領域（添え糸なし領域）
【図１】
2015048551.tif 000003
【図２】
2015048551.tif 000004
【図３】
2015048551.tif 000005